(57)【要約】【課題】  使用状況によらず、簡易な構成で確実に物体の検出を行うことが可能な画像表示装置および物体の検出方法を提供する。【解決手段】  表示部１の表示面１０から非可視光ＬIRを出射する。また、この表示面１０に接触または近接する検出対象物体１２で反射された非可視光ＬIRを、表示面１０上で受光する。受光したこの非可視光ＬIRに基づいて、検出対象物体１２の検出を行う。表示部１の表示状態の影響や周囲の状況（明るい場合や暗い場合など）など、そのときの使用状況の影響を受けることなく、確実に検出することができる。また、例えばタッチパネルなどの部品を別途設ける必要もないので、簡易な構成で実現することができる。【選択図】  図３
2006301864.tif 000002
【特許請求の範囲】
【請求項１】
非可視光領域の検出光を画像データに基づく表示光と共に出射する機能と、出射され検出対象物体で反射された検出光を検出する機能とを有する表示面を備え、
前記検出光に基づいて前記検出対象物体を検出する
ことを特徴とする画像表示装置。
【請求項２】
前記検出光に基づいて、前記検出対象物体の位置および大きさのうち少なくとも一方を検出する
ことを特徴とする請求項１に記載の画像表示装置。
【請求項３】
前記検出光に基づいて、同時に配置された複数の検出対象物体を検出する
ことを特徴とする請求項１に記載の画像表示装置。
【請求項４】
可視光領域の光を発する複数の第１発光素子と、
非可視光領域の光を発する第２発光素子と、
非可視光領域の光を受光する複数の受光素子と、
前記表示面から前記表示光が出射するように前記画像データに基づいて前記複数の第１発光素子を発光駆動する第１発光駆動手段と、
前記表示面から前記検出光が出射するように前記第２発光素子を発光駆動する第２発光駆動手段と、
前記第２発光素子から出射して前記検出対象物体で反射した検出光を前記表示面上で検出するように、前記複数の受光素子を受光駆動する第１受光駆動手段と、
前記受光素子から得られた受光信号に基づいて前記検出対象物体を検出する検出手段と
を備えたことを特徴とする請求項１に記載の画像表示装置。
【請求項５】
前記第２発光駆動手段は、前記検出光が一定の輝度で出射するように前記第２発光素子を発光駆動する
ことを特徴とする請求項４に記載の画像表示装置。
【請求項６】
前記複数の第１発光素子および前記複数の受光素子はそれぞれマトリクス状に配置され、
前記第１発光駆動手段は、線順次発光動作を行うように前記複数の第１発光素子を発光駆動し、
前記第１受光駆動手段は、線順次受光動作を行うように前記複数の受光素子を受光駆動する
ことを特徴とする請求項４に記載の画像表示装置。
【請求項７】
前記第１受光駆動手段は、前記複数の第１発光素子の線順次発光動作に同期して線順次受光動作を行うように、前記複数の受光素子を受光駆動する
ことを特徴とする請求項６に記載の画像表示装置。
【請求項８】
前記複数の受光素子は、さらに、可視光領域の光をも受光可能であり、
前記第１受光駆動手段は、前記複数の第１発光素子から出射して前記検出対象物体で反射した表示光をも検出するように、前記複数の受光素子を受光駆動する
ことを特徴とする請求項４に記載の画像表示装置。
【請求項９】
前記複数の受光素子は、可視光領域の光のみを受光する第１受光素子と、非可視光領域の光のみをする第２受光素子とから構成され、
前記第１受光駆動手段は、前記検出対象物体でそれぞれ反射された前記表示光および前記検出光のうち、前記可視光領域の光を前記第１受光素子が検出すると共に前記非可視光領域の光を前記第２受光素子が検出するように、前記第１受光素子および前記第２受光素子を受光駆動する
ことを特徴とする請求項８に記載の画像表示装置。
【請求項１０】
前記第１受光駆動手段は、前記第１受光素子と前記第２受光素子とを選択的に受光駆動する
ことを特徴とする請求項９に記載の画像表示装置。
【請求項１１】
前記第１発光素子および前記第２発光素子は、いずれも液晶素子である
ことを特徴とする請求項４に記載の画像表示装置。
【請求項１２】
可視光領域および非可視光領域の光を前記液晶素子へ向けて発する光源をさらに備え、
前記液晶素子は、互いに対向する１対の透明基板と、これら１対の透明基板間に設けられた液晶層とを有し、
前記第１発光素子は、前記１対の透明基板のうちの前記表示面側の透明基板上に、前記光源からの光のうち、可視光領域の光を選択的に透過する第１選択透過フィルタをさらに有し、
前記第２発光素子は、前記１対の透明基板のうちの前記表示面側の透明基板上に、前記光源からの光のうち、非可視光領域の光を選択的に透過する第２選択透過フィルタをさらに有する
ことを特徴とする請求項１１に記載の画像表示装置。
【請求項１３】
前記光源は、可視光領域の光を発する第１光源と、非可視光領域の光を発する第２光源とから構成されている
ことを特徴とする請求項１２に記載の画像表示装置。
【請求項１４】
前記第２選択透過フィルタは、前記表示面側の透明基板上において、前記第１発光素子に対応する領域以外の領域に設けられている
ことを特徴とする請求項１２に記載の画像表示装置。
【請求項１５】
前記第１発光素子および前記第２発光素子は、いずれも自発光素子である
ことを特徴とする請求項４に記載の画像表示装置。
【請求項１６】
前記第１発光素子および前記第２発光素子は、いずれも有機ＥＬ素子である
ことを特徴とする請求項１５に記載の画像表示装置。
【請求項１７】
前記第１発光素子は、青色発光する青色発光有機ＥＬ素子と、緑色発光する緑色発光有機ＥＬ素子と、赤色発光する赤色発光有機ＥＬ素子とから構成されている
ことを特徴とする請求項１６に記載の画像表示装置。
【請求項１８】
各色発光有機ＥＬ素子はそれぞれ、互いに対向すると共に前記表示面側のものが光透過性を有する１対の基板と、前記１対の基板の間に設けられると共に少なくとも自己の発光色に対応する波長領域の光をそれぞれ発する発光層とを有し、
前記第１発光素子のうちの少なくとも前記赤色発光有機ＥＬ素子は、前記１対の基板のうちの前記表示面側の基板上に、前記発光層から発せられた光のうち、自己の発光色に対応する波長領域の光を選択的に透過するカラーフィルタを有する
ことを特徴とする請求項１７に記載の画像表示装置。
【請求項１９】
前記第１発光素子は、白色発光する白色発光有機ＥＬ素子から構成され、
前記白色発光有機ＥＬ素子は、
互いに対向すると共に前記表示面側のものが光透過性を有する１対の基板と、
前記１対の基板の間に設けられると共に白色光を発する白色発光層と、
前記１対の基板のうちの前記表示面側の基板上に設けられると共に前記白色発光層から発せられた白色光のうち、青色発光、緑色発光または赤色発光に対応する波長領域の光を選択的に透過するカラーフィルタとを有する
ことを特徴とする請求項１６に記載の画像表示装置。
【請求項２０】
前記第２発光素子は、非可視光領域の光を発する非可視光発光有機ＥＬ素子から構成され、
前記非可視光発光有機ＥＬ素子は、
互いに対向すると共に前記表示面側のものが光透過性を有する１対の基板と、
前記１対の基板の間に設けられると共に非可視光領域の光を発する非可視光発光層とを有する
ことを特徴とする請求項１６に記載の画像表示装置。
【請求項２１】
前記第２発光素子は、白色発光する白色発光有機ＥＬ素子から構成され、
前記白色発光有機ＥＬ素子は、
互いに対向すると共に前記表示面側のものが光透過性を有する１対の基板と、
前記１対の基板の間に設けられると共に白色光を発する白色発光層と、
前記１対の基板のうちの前記表示面側の基板上に設けられると共に前記白色発光層から発せられた白色光のうち、非可視光領域の光を選択的に透過する第２選択透過フィルタとを有する
ことを特徴とする請求項１６に記載の画像表示装置。
【請求項２２】
可視光領域の光を発する複数の第３発光素子と、
それぞれが非可視光領域の光の発光機能と受光機能とを併有する複数の発光受光素子と、
前記表示面から前記表示光が出射するように前記画像データに基づいて前記複数の第３発光素子を発光駆動する第３発光駆動手段と、
前記表示面から前記検出光が出射するように前記複数の発光受光素子を発光駆動する第４発光駆動手段と、
発光している一の発光受光素子から出射して前記検出対象物体で反射した検出光を前記表示面上で他の発光受光素子が検出するように、前記他の発光受光素子を受光駆動する第２受光駆動手段と、
前記他の発光受光素子から得られた受光信号に基づいて前記検出対象物体を検出する検出手段と
を備えたことを特徴とする請求項１に記載の画像表示装置。
【請求項２３】
前記第４発光駆動手段は、前記検出光が一定の輝度で出射するように前記複数の発光受光素子を発光駆動する
ことを特徴とする請求項２２に記載の画像表示装置。
【請求項２４】
前記複数の第３発光素子および前記複数の発光受光素子はそれぞれマトリクス状に配置され、
前記第３発光駆動手段は、線順次発光動作を行うように前記複数の第３発光素子を発光駆動し、
前記第２受光駆動手段は、線順次受光動作を行うように前記複数の発光受光素子を受光駆動する
ことを特徴とする請求項２２に記載の画像表示装置。
【請求項２５】
前記発光受光素子は、有機ＥＬ素子である
ことを特徴とする請求項２２に記載の画像表示装置。
【請求項２６】
前記発光受光素子は、非可視光領域の光を発する非可視光発光有機ＥＬ素子から構成され、
前記非可視光発光有機ＥＬ素子は、
互いに対向すると共に前記表示面側のものが光透過性を有する１対の基板と、
前記１対の基板の間に設けられると共に非可視光領域の光を発する非可視光発光層とを有する
ことを特徴とする請求項２５に記載の画像表示装置。
【請求項２７】
前記発光受光素子は、白色発光する白色発光有機ＥＬ素子から構成され、
前記白色発光有機ＥＬ素子は、
互いに対向すると共に前記表示面側のものが光透過性を有する１対の基板と、
前記１対の基板の間に設けられると共に白色光を発する白色発光層と
前記１対の基板のうちの前記表示面側の基板上に設けられ、前記白色発光層から発せられた白色光またはこの白色発光層への入射光のうち、非可視光領域の光を選択的に透過する第２選択透過フィルタとを有する
ことを特徴とする請求項２５に記載の画像表示装置。
【請求項２８】
画像データに基づく表示光を表示面から出射する画像表示装置に適用される物体の検出方法であって、
非可視光領域の検出光を前記表示光と共に前記表示面から出射し、
出射され検出対象物体で反射された検出光を検出し、
前記検出光に基づいて前記検出対象物体を検出する
ことを特徴とする物体の検出方法。
【発明の詳細な説明】
【技術分野】
【０００１】
本発明は、表示面に接触または近接する物体の位置などを検出する機能を備えた画像表示装置、およびそのような画像表示装置を用いた物体の検出方法に関する。
【背景技術】
【０００２】
従来より、表示装置の表示面に接触あるいは近接する物体の位置などを検出する技術が知られている。その中でも代表的で一般に広く普及している技術として、タッチパネルを備えた表示装置が挙げられる。
【０００３】
このタッチパネルも種々のタイプのものが存在するが、一般に普及しているものとして、静電容量を検知するタイプのものが挙げられる。このタイプのものは、指でタッチパネルに接触することでパネルの表面電荷の変化を捕らえ、物体の位置などを検出するようになっている。したがってこのようなタッチパネルを用いることで、ユーザは直感的に操作することが可能である。
【０００４】
また、最近では表示面上にこのようなタッチパネルを別途設けることなく、物体の位置などを検出することを可能とする技術が各種提案されている。
【０００５】
例えば、非特許文献１には、低温ポリシリコンを用いて製造した液晶表示装置において各画素に光センサを配置し、物体の映像などを取り込むことができるようにした技術が開示されている。
【０００６】
【非特許文献１】N.Tada、他６名，「タッチパネル・ファンクション・インテグレイティド・エルシーディー・ユージング・エルティーピーエス・テクノロジー（A Touch Panel Function Integrated LCD Using LTPS Technology）」，ＩＤＷ’０４ Proceedings of The 11th International Display Workshops，International Display Workshops，ｐ．３４９−３５０
【発明の開示】
【発明が解決しようとする課題】
【０００７】
上記非特許文献１に記載されている液晶表示装置を利用すれば、取り込んだ映像に基づいて、物体の位置などを検出することも可能である。したがって、このような液晶表示装置を利用することで、表示面上にタッチパネルなどの部品を別途設けることなく、簡易な構成で物体の位置などを検出することが可能となる。
【０００８】
しかしながら、この液晶表示装置において物体の映像などを取り込む際には、受光する光の輝度は、周囲の環境（明るさ）に左右されることとなる。したがって、周囲が暗い状況下では、取り込んだ映像に基づいて物体の位置などを検出するのが困難となってしまう。ここで、同文献には、Ｆｉｇｕｒｅ５に示されているように、例えば表示面上に指などの物体を接触または近接させ、この物体で反射された表示光を利用することで、周囲が暗い状況下でも物体の位置などを検出することは可能であると記載されている。
【０００９】
しかしながら、このようにして物体で反射された表示光を利用する場合、今度はこの表示光の輝度が問題となる。具体的には、受光する光の輝度が表示光の輝度に左右され、表示光の輝度は画像データに応じて変化することから、例えば表示面がいわゆる黒表示状態のときには、依然として取り込んだ映像に基づいて物体の位置などを検出するのが困難となってしまう。
【００１０】
このように従来の技術では、画像表示装置の表示面に接触または近接する物体を検出するに際して、例えば表示光の輝度などのそのときの使用状況にはよらず、簡易な構成で確実に検出するのは困難であった。
【００１１】
本発明はかかる問題点に鑑みてなされたもので、その目的は、使用状況によらず、簡易な構成で確実に物体の検出を行うことが可能な画像表示装置および物体の検出方法を提供することにある。
【課題を解決するための手段】
【００１２】
本発明の画像表示装置は、非可視光領域の検出光を画像データに基づく表示光と共に出射する機能と、出射され検出対象物体で反射された検出光を検出する機能とを有する表示面を備え、上記検出光に基づいて検出対象物体を検出するようにしたものである。
【００１３】
ここで、「非可視光領域の検出光」とは、可視光領域（通常は、４００ｎｍ〜７００ｎｍ程度）以外の領域の波長をもつ物体検出用の光を意味する。また、「表示光」とは、画像データによって変調された可視光領域の光を意味する。また、「検出対象物体」とは、表示面に対して接触または近接するように接近している指やポインタ等の物体を意味する。
【００１４】
本発明の物体の検出方法は、画像データに基づく表示光を表示面から出射する画像表示装置に適用されるものであって、非可視光領域の検出光を上記表示光と共に表示面から出射し、出射され検出対象物体で反射された検出光を検出し、この検出光に基づいて検出対象物体を検出するようにしたものである。
【００１５】
本発明の画像表示装置および物体の検出方法では、画像データに基づく表示光および非可視光領域の検出光が、表示面からそれぞれ出射される。このとき、表示面に物体（検出対象物体）が接触または近接していると、出射された検出光がこの検出対象物体で反射され、表示面上で検出される。このようにして、検出対象物体で反射された検出光を検出することで、この検出光に基づいて、検出対象物体が検出される。また、この検出光は非可視光領域のものであることから、例えば画像データに応じて輝度変化する表示光など、そのときの使用状況の影響を受けることなく検出光が検出される。
【００１６】
本発明の画像表示装置では、可視光領域の光を発する複数の第１発光素子と、非可視光領域の光を発する第２発光素子と、非可視光領域の光を受光する複数の受光素子と、上記表示面から表示光が出射するように上記画像データに基づいて複数の第１発光素子を発光駆動する第１発光駆動手段と、表示面から上記検出光が出射するように第２発光素子を発光駆動する第２発光駆動手段と、第２発光素子から出射して上記検出対象物体で反射した検出光を表示面上で検出するように、複数の受光素子を受光駆動する第１受光駆動手段と、受光素子から得られた受光信号に基づいて検出対象物体を検出する検出手段とを備えるように構成することが可能である。
【００１７】
この場合において、上記第１発光素子および上記第２発光素子を液晶素子から構成することができ、また、自発光素子、例えば有機ＥＬ素子から構成することも可能である。また、上記複数の第１発光素子および上記複数の受光素子をそれぞれマトリクス状に配置し、上記第１発光駆動手段が線順次発光動作を行うように複数の第１発光素子を発光駆動し、上記第１受光駆動手段が線順次受光動作を行うように複数の受光素子を受光駆動する構成としてもよい。
【００１８】
ここで、「マトリクス状」とは、複数の第１発光素子および複数の受光素子が画像表示装置の表示面全体にわたって、表示面の水平ライン方向および垂直ライン方向に行列配置されている状態を意味し、この配置された各要素を画素と言う。「線順次発光動作」および「線順次受光動作」とは、ある１水平ライン分の各画素に含まれる第１発光素子および受光素子がそれぞれ、１水平ラインごとに順次、発光動作および受光動作する態様の動作を意味し、これを画像表示装置の表示面全体にわたって行うことにより、１画面分の画像データの表示および１画面分の各画素についての受光をすることが可能となる。
【００１９】
本発明の画像表示装置では、可視光領域の光を発する複数の第３発光素子と、それぞれが非可視光領域の光の発光機能と受光機能とを併有する複数の発光受光素子と、上記表示面から表示光が出射するように上記画像データに基づいて複数の第３発光素子を発光駆動する第３発光駆動手段と、表示面から上記検出光が出射するように複数の発光受光素子を発光駆動する第４発光駆動手段と、発光している一の発光受光素子から出射して上記検出対象物体で反射した検出光を表示面上で他の発光受光素子が検出するように、この他の発光受光素子を受光駆動する第２受光駆動手段と、この他の発光受光素子から得られた受光信号に基づいて検出対象物体を検出する検出手段とを備えるように構成することが可能である。
【００２０】
この場合において、上記発光受光素子を、有機ＥＬ素子から構成することが可能である。また、上記複数の第３発光素子および上記複数の発光受光素子をそれぞれマトリクス状に配置し、上記第３発光駆動手段が線順次発光動作を行うように複数の第３発光素子を発光駆動し、上記第２受光駆動手段が線順次受光動作を行うように複数の発光受光素子を受光駆動する構成としてもよい。
【発明の効果】
【００２１】
本発明の画像表示装置または物体の検出方法によれば、非可視光領域の検出光を表示面から出射すると共に検出対象物体で反射された検出光を表示面上で検出し、この検出光に基づいて検出対象物体の検出を行うようにしたので、使用状況の影響を受けることなく、確実に物体を検出することができる。また、例えばタッチパネルなどの部品を別途設ける必要もないので、簡易な構成で実現することができる。
【発明を実施するための最良の形態】
【００２２】
以下、本発明を実施するための最良の形態（以下、単に実施の形態という。）について、図面を参照して詳細に説明する。なお、以下の実施の形態では、「非可視光領域」を、可視光領域よりも長波長側の領域（近赤外・赤外領域）から構成した場合で説明する。
【００２３】
［第１の実施の形態］
図１は、本発明の第１の実施の形態に係る画像表示装置の全体構成を表すものである。この画像表示装置は、表示部１と、表示信号生成部２１と、表示信号保持制御部２２と、表示信号ドライバ２３と、可視光発光用スキャナ２４と、受光用スキャナ３１と、受光信号レシーバ３２と、受光信号保持部３３と、位置検出部３４とを備えており、画像データに基づく画像を表示部１に表示すると共に、この表示部１に接触または近接する物体（後述する検出対象物体１２）の位置などを検出するものである。なお、本実施の形態に係る物体の検出方法は、本実施の形態に係る画像表示装置によって具現化されるので、以下、併せて説明する。
【００２４】
表示部１は、複数の各画素１１が表示部１の全面に渡ってマトリクス状に配置されたＬＣＤ（Liquid Crystal Display）からなり、後述するように線順次動作をしながら所定の図形や文字などの画像を表示するものである。また、各画素１１は、可視光を発する可視光発光セルＣＷrgb、非可視光を発する非可視光発光セルＣＷIR、ならびに可視光および非可視光のいずれをも受光することが可能な受光セルＣＲを有する発光受光セルＣＷＲから構成され、後述するように画素ごとに発光動作と受光動作とを行うことができるようになっている。なお、この表示部１の構成の詳細については後述する。
【００２５】
表示信号生成部２１は、例えば図示しないＣＰＵ（Central Processing Unit）などから供給される画像データに基づいて、例えば１画面ごと（１フィールドの表示ごと）に表示部１に表示するための表示信号を生成するものである。このようにして生成された表示信号は、表示信号保持制御部２２へ出力される。
【００２６】
表示信号保持制御部２２は、表示信号生成部２１から出力される表示信号を１画面ごと（１フィールドの表示ごと）に、例えばＳＲＡＭ（Static Random Access Memory）などから構成されるフィールドメモリに格納して保持するものである。この表示信号保持制御部２２はまた、各可視光発光セルＣＷrgbを駆動する可視光発光用スキャナ２４および表示信号ドライバ２３、ならびに各受光セルＣＲを駆動する受光用スキャナ３１が連動して動作するように制御する役割も果たしている。具体的には、可視光発光用スキャナ２４に対しては発光タイミング制御信号４１を、受光用スキャナ３１に対しては受光タイミング制御信号４２を、表示信号ドライバ２３に対しては、制御信号、およびフィールドメモリに保持されている１画面分の表示信号に基づく１水平ライン分の表示信号を、それぞれ出力するようになっている。このようにして、これら可視光発光用スキャナ２４、受光用スキャナ３１および表示信号ドライバ２３に各制御信号および表示信号が供給されることで、後述する例えば矢印Ｘ方向への線順次動作が行われるようになっている。
【００２７】
可視光発光用スキャナ２４は、表示信号保持制御部２２から出力される発光タイミング制御信号４１に応じて、駆動対象の可視光発光セルＣＷrgbを選択するものである。具体的には、表示部１の各画素１１に接続された発光用ゲート線介して駆動対象の可視光発光セルＣＷrgbへ発光用選択信号を供給し、発光素子選択スイッチを制御するようになっている。このようにして、この発光用選択信号によってある画素の発光素子選択スイッチがオン状態となる電圧が印加されると、その画素では表示信号ドライバ２３から供給された電圧に対応した輝度の発光動作がなされるようになっている。
【００２８】
表示信号ドライバ２３は、表示信号保持制御部２２から出力される１水平ライン分の表示信号に応じて、駆動対象の可視光発光セルＣＷrgbへ表示データを供給するものである。具体的には、表示部１の各画素１１に接続されたデータ供給線を介して、可視光発光用スキャナ２４により選択された画素１１へ表示データに対応する電圧を供給するようになっている。このようにして、これら可視光発光用スキャナ２４および表示信号ドライバ２３が連動して線順次動作することにより、任意の表示データに対応する画像が表示部１に表示されるようになっている。
【００２９】
受光用スキャナ３１は、表示信号保持制御部２２から出力される受光タイミング制御信号４２に応じて、駆動対象の受光セルＣＲを選択するものである。具体的には、表示部１の各画素１１に接続された受光用ゲート線を介して駆動対象の受光セルＣＲへ受光用選択信号を供給し、受光素子選択スイッチを制御するようになっている。つまり、上記した可視光発光用スキャナ２４の動作と同様に、受光用選択信号によってある画素の受光素子選択スイッチがオン状態となる電圧が印加されると、その画素から検出された受光信号が受光信号レシーバ３２に出力されるようになっている。このようにして、可視光および非可視光が受光セルＣＲによって受光される。
【００３０】
なお、この受光用スキャナ３１は、受光信号レシーバ３２および受光信号保持部３３に対してそれぞれ受光ブロック制御信号４３を出力し、これら受光動作に寄与する部分の動作を制御する役割も果たしている。
【００３１】
受光信号レシーバ３２は、受光用スキャナ３１から出力される受光ブロック制御信号４３に応じて、各受光セルＣＲから出力された１水平ライン分の受光信号を取得するものである。このようにして取得された１水平ライン分の受光信号は、受光信号保持部３３へ出力される。
【００３２】
受光信号保持部３３は、受光用スキャナ３１から出力される受光ブロック制御信号４３に応じて、受光信号レシーバ３２から出力される受光信号を１画面ごと（１フィールドの表示ごと）の受光信号に再構成し、例えばＳＲＡＭなどから構成されるフィールドメモリに格納して保持するものである。このようにしてフィールドメモリに格納された受光信号は、位置検出部３４へ出力される。なお、この受光信号保持部３３はメモリ以外の記憶素子から構成されていてもよく、例えば受光信号をアナログデータとして保持しておくようにしてもよい。
【００３３】
位置検出部３４は、受光信号保持部３３から出力される受光信号に基づいて信号処理を行い、受光信号を検出した受光セルＣＲの位置から、表示部１に接触あるいは近接する物体の位置などを特定するものである。このようにして、表示部１に接触あるいは近接する物体の位置などが特定される。なお、上記のように受光信号保持部３３が受光信号をアナログデータとして保持している場合には、この位置検出部３４がアナログ／デジタル変換（Ａ／Ｄ変換）を行ってから信号処理を実行するように構成することが可能である。
【００３４】
なお、表示信号ドライバ２３および可視光発光スキャナ２４は本発明における「第１発光駆動手段」の一具体例に対応し、受光用スキャナ３１は本発明における「第１受光駆動手段」の一具体例に対応する。
【００３５】
次に、図２〜図５を参照して、表示部１および発光受光セルＣＷＲの構成の詳細について説明する。
【００３６】
図２は、各画素１１における発光受光セルＣＷＲの構成の一例を平面図で表したものである。この発光受光セルＣＷＲは、前述のように可視光発光セルＣＷrgbと、非可視光発光セルＣＷIRと、受光セルＣＲとを有している。また、そのうちの可視光発光セルＣＷrgbは、赤色発光する赤色発光セルＣＷrと、緑色発光する緑色発光セルＣＷgと、青色発光する青色発光セルＣＷbとを有している。また、赤色発光セルＣＷrは、赤色発光する部分である赤色発光素子ＣＬrと、この赤色発光素子ＣＬrを駆動するスイッチ素子（後述する発光素子選択スイッチＳＷ１Ｒ）を含むＴＦＴ（Thin Film Transistor）回路部１１３Ｒとを有し、緑色発光セルＣＷgは、緑色発光する部分である緑色発光素子ＣＬgと、この緑色発光素子ＣＬgを駆動するスイッチ素子（後述する発光素子選択スイッチＳＷ１Ｇ）を含むＴＦＴ回路部１１３Ｇとを有し、青色発光セルＣＷbは、青色発光する部分である青色発光素子ＣＬbと、この青色発光素子ＣＬbを駆動するスイッチ素子（後述する発光素子選択スイッチＳＷ１Ｂ）を含むＴＦＴ回路部１１３Ｂとを有している。また、非可視光発光セルＣＷIRは、非可視光を発する部分である非可視光発光素子ＣＬIRを有し、受光セルＣＲは、可視光および非可視光を受光する部分である受光センサ１１１と、この受光センサ１１１を駆動するスイッチ素子（後述する受光素子選択スイッチＳＷ２）を含む受光センサ回路部１１２とを有している。受光センサ１１１は、例えばフォトダイオードなどから構成される。ここで、本実施の形態のように可視光領域よりも長波長側の非可視光を利用する場合、この受光センサ１１１は、アモルファスシリコンよりも単結晶シリコンから構成されていることが好ましい。これは、単結晶シリコンによって受光センサ１１１を構成したほうが、受光可能な光の波長領域が広くなる（約１１００ｎｍ以下の波長領域）からである。なお、これら赤色発光素子ＣＬr、緑色発光素子ＣＬgおよび青色発光素子ＣＬbとＴＦＴ回路部１１３との接続関係、ならびにＴＦＴ回路部１１３と前述の表示信号ドライバ２３、可視光発光用スキャナ２４、受光用スキャナ３１および受光信号レシーバ３２との接続関係の詳細は後述（図４）する。
【００３７】
ここで、これら赤色発光素子ＣＬr、緑色発光素子ＣＬgおよび青色発光素子ＣＬbは本発明における「第１発光素子」の一具体例に対応し、非可視光発光素子ＣＬIRは本発明における「第２発光素子」の一具体例に対応し、受光センサ１１１は本発明における「受光素子」の一具体例に対応する。
【００３８】
図３は、図２におけるＡ−Ａ部分の矢視断面図であり、表示部１の断面構成の一例を表したものである。この表示部１は、光源１００と、各発光素子（赤色発光素子ＣＬr、緑色発光素子ＣＬg、青色発光素子ＣＬbおよび非可視光発光素子ＣＬIR）を構成する積層構造とから構成されている。この積層構造は、具体的には光源１００側から、偏光板１０１Ａと、ガラス基板１０２Ａと、回路部１０３と、絶縁層１０４と、透明画素電極１０５Ａと、液晶層１０６と、透明電極１０５Ｂと、カラーフィルタ１０７と、選択透過フィルタ１０８と、ブラックマトリクス１０９と、ガラス基板１０２Ｂと、偏光板１０１Ｂとから構成されている。すなわち、これら各発光素子は液晶素子から構成され、互いに対向するガラス基板１０２Ａ，１０２Ｂの間に液晶層１０６を設けた構成となっている。
【００３９】
光源１００は、可視光領域および非可視光領域の光を上記した液晶素子へ向けて発するバックライトである。また、ガラス基板１０２Ａ，１０２Ｂは、いずれもガラス材料からなる透明基板である。ただし、これら１０２Ａ，１０２Ｂをガラス材料の代わりに、透明なプラスチック材料などから構成してもよい。なお、これらガラス基板１０２Ａ，１０２Ｂは本発明における「一対の透明基板」の一具体例であり、そのうちのガラス基板１０２Ｂは本発明における「表示面側の透明基板」の一具体例に対応する。
【００４０】
回路部１０３は、図２に示したＴＦＴ回路部１１３や受光センサ回路部１１２に対応する部分であり、各透明画素電極１０５Ａと電気的に接続されている。また、透明画素電極１０５Ａは各可視光発光セルＣＷＲrgbに配置されており、例えばＩＴＯ（Indium Tin Oxide；酸化インジウムスズ））などの透明材料から構成される。一方、透明電極１０５Ｂは透明電極１０５Ａと対向する共通電極であり、透明電極１０５Ａと同様に例えばＩＴＯなどの透明材料から構成される。また、絶縁層１０４は、各回路部１０３の間に形成されている。このような構成により、これら透明電極１０５Ａ，１０５Ｂ間に表示データに応じた電圧が印加され、光源１００からのバックライト光ＬＯが液晶層１０６を透過または遮断されるようになっている。なお、図３に示したように、非可視光発光セルＣＷIRには、透明画素電極１０５Ａが配置されていない。これは後述するように、非可視光発光セルＣＷIRからは一定の輝度の非可視光ＬIRが出射されるようにすればよく、表示データに応じて輝度を変化させる必要がないためである。
【００４１】
カラーフィルタ１０７は、各可視光発光セルＣＷrgb（赤色発光セルＣＷr、緑色発光セルＣＷgおよび青色発光セルＣＷb）に対応する領域に配置されており、液晶層１０６を透過したバックライト光ＬＯのうち、自己の発光色に対応する波長領域の光を選択的に透過するものである。また、選択透過フィルタ１０８は、非可視光発光セルＣＷIRに対応する領域に配置されており、液晶層１０６を透過したバックライト光ＬＯのうち、非可視光領域（ここでは、可視光領域よりも長波長側の領域）の光を選択的に透過するものである。ブラックマトリクス１０９は、各カラーフィルタ１０７および選択透過フィルタ１０８の間に配置されており、光源１００からのバックライト光ＬＯを遮断して表示面１０側に出射しないようにするものである。
【００４２】
このようにして、光源１００からのバックライト光ＬＯがカラーフィルタ１０７または選択透過フィルタ１０８を透過することで、可視光発光セルＣＷrgbからは可視光Ｌrgb、すなわち、赤色発光セルＣＷrからは赤色光Ｌrが、緑色発光セルＣＷgからは緑色光Ｌgが、青色発光セルＣＷbからは青色光Ｌbがそれぞれ出射される一方、非可視光発光セルＣＷIRからは非可視光ＬIRが出射されるようになっている。したがって、これら可視光Ｌrgbおよび非可視光ＬIRの発光スペクトルは、例えば図４に示したようになる。すなわち、しきい値波長Ｗ１よりも短波長側である可視光領域側には、赤色発光スペクトルＰr、緑色発光スペクトルＰgおよび青色発光スペクトルＰbからなる可視光発光スペクトルＰrgbが、そしてしきい値波長Ｗ１よりも長波長側である非可視光領域には、非可視光発光スペクトルＰIRが、それぞれ観測されるようになっている。なお、カラーフィルタ１０７は本発明における「第１選択透過フィルタ」の一具体例に対応し、選択透過フィルタ１０８は本発明における「第２選択透過フィルタ」の一具体例に対応する。
【００４３】
図５は、各画素１１における発光受光セルＣＷＲの回路構成の一例を表したものである。この発光受光セルＣＷＲは、前述のように、赤色発光セルＣＷr、緑色発光セルＣＷgおよび青色発光セルＣＷbからなる可視光発光セルＣＷrgbと、非可視光発光セルＣＷIRと、受光セルＣＲとを有している。このうち、可視光発光セルＣＷrgbには、表示信号ドライバ２３に接続された表示データ供給線ＤＷと、可視光発光用スキャナ２４に接続された発光用ゲート線ＧＷとが接続されている。具体的には、赤色発光セルＣＷrには表示データ供給線ＤＷrと発光用ゲート線ＧＷとが、緑色発光セルＣＷgには表示データ供給線ＤＷgと発光用ゲート線ＧＷとが、青色発光セルＣＷbには表示データ供給線ＤＷbと発光用ゲート線ＧＷとが、それぞれ接続されている。一方、受光セルＣＲには、受光用スキャナ３１に接続された受光用ゲート線ＧＲと受光信号レシーバ３２に接続されたデータ読み出し線ＤＲとが接続され、非可視光発光セルＣＷIRには、これらの接続線は接続されていない。なお、この非可視光発光セルＣＷIRに接続線が接続されていないのは、前述のように非可視光発光セルＣＷIRからは一定の輝度の非可視光ＬIRが出射されるようにすればよく、表示データに応じて輝度を変化させる必要がないためである。
【００４４】
赤色発光セルＣＷrは、前述の赤色発光素子ＣＬrと、前述のＴＦＴ回路部１１３Ｒ内に設けられた発光素子選択スイッチＳＷ１Ｒとを有している。緑色発光セルＣＷgは、前述の緑色発光セルＣＬgと、前述のＴＦＴ回路部１１３Ｇ内に設けられた発光素子選択スイッチＳＷ１Ｇとを有している。青色発光セルＣＷbは、前述の青色発光素子ＣＬbと、前述のＴＦＴ回路部１１３Ｂ内に設けられた発光素子選択スイッチＳＷ１Ｂとを有している。また、受光セルＣＲは、前述の受光素子としての受光センサ１１１（図５に示した例では、フォトダイオード）と、前述の受光センサ回路部１１２内に設けられた受光素子選択スイッチＳＷ２とを有している。また、非可視光発光セルＣＷIRは、前述の非可視光発光素子ＣＬIRと、定電圧電源ＶIRとを有している。なお、これら発光素子選択スイッチＳＷ１Ｒ，ＳＷ１Ｇ，ＳＷ１Ｂは、いずれも例えばＴＦＴなどのスイッチ素子から構成される。
【００４５】
発光素子選択スイッチＳＷ１Ｒ，ＳＷ１Ｇ，ＳＷ１Ｂはそれぞれ、発光用ゲート線ＧＷによってそのオンオフ動作が制御されるようになっている。また、発光素子選択スイッチＳＷ１Ｒの一端は表示データ供給線ＤＷrに接続され、その他端は赤色発光素子ＣＬrの一端（具体的には、前述の透明画素電極１０５Ａ）に接続され、赤色発光素子ＣＬrの他端（具体的には、前述の透明電極１０５Ｂ）は接地されている。同様に、発光素子選択スイッチＳＷ１Ｇの一端は表示データ供給線ＤＷgに接続され、その他端は緑色発光素子ＣＬgの一端に接続され、緑色発光素子ＣＬgの他端は接地されている。発光素子選択スイッチＳＷ１Ｂの一端は表示データ供給線ＤＷbに接続され、その他端は青色発光素子ＣＬbの一端に接続され、青色発光素子ＣＬbの他端は接地されている。一方、受光素子選択スイッチＳＷ２は受光用ゲート線ＧＲによってそのオンオフ動作が制御されるようになっており、その一端はデータ読出線ＤＲに接続され、その他端は受光センサ１１１の一端に接続され、受光センサ１１１の他端は接地または正バイアス点（図示せず）に接続されている。また、非可視光発光素子ＣＬIRの一端（具体的には、図３の回路部１０３側）は、非可視光発光用データ供給線ＤＷIRを介して定電圧電源ＶIRに接続され、その他端（具体的には、前述の透明電極１０５Ｂ）は接地されている。
【００４６】
このような回路構成により発光受光セルＣＷＲでは、以下のような発光動作および受光動作がなされる。
【００４７】
まず、可視光Ｌrgbの発光動作時には、発光用ゲート線ＧＷから供給される発光用選択信号に応じて、１水平ライン分の発光素子選択スイッチＳＷ１Ｒ，ＳＷ１Ｇ，ＳＷ１Ｂがそれぞれオン状態となる。そして各表示信号に応じた輝度の発光となるよう、表示データ供給線ＤＷr，ＤＷg，ＤＷbからそれぞれＩ１r，Ｉ１g，Ｉ１bの経路にて、赤色発光素子ＣＬ、緑色発光素子ＣＬgおよび青色発光素子ＣＬbが充電されることで、これら発光素子はそれぞれ、各発光色に対応すると共に各表示信号に応じた輝度からなる発光動作を行う。これに対して、非可視光ＬIRの発光動作については、定電圧電源ＶIRから非可視光発光用データ供給線ＤＷIRを介して非可視光発光素子ＣＬIRへ常に一定の電圧が印加されることから、常に一定の電流がＩ１IRの経路にて非可視光発光素子ＣＬIRが充電され、非可視光発光素子ＣＬIRは、一定の輝度からなる非可視光ＬIRの発光動作を行う。
【００４８】
一方、受光動作時には、受光用ゲート線ＧＲから供給される受光用選択信号に応じて、１水平ライン分の受光素子選択スイッチＳＷ２がオン状態となり、受光センサ１１１において受光した光量に応じた電流がＩ２の経路にてデータ読出線ＤＲへ供給されることで、可視光Ｌrgbおよび非可視光ＬIRの受光動作を行うようになっている。
【００４９】
なお、発光動作および受光動作のいずれの動作も行っていないときには、発光素子選択スイッチＳＷ１Ｒ，ＳＷ１Ｇ，ＳＷ１Ｂおよび受光素子選択スイッチＳＷ２のいずれのスイッチもオフ状態となっており、表示データ供給線ＤＷr，ＤＷg，ＤＷbと赤色発光素子ＣＬr、緑色発光素子ＣＬgまたは青色発光素子ＣＬbとの間の接続、ならびにデータ読出線ＤＲと受光センサ１１１との間の接続は、いずれも切断されるようになっている。
【００５０】
次に、以上のような構成からなる画像表示装置において、表示部１の表示面１０に接触あるいは近接する物体（検出対象物体）を検出する処理を、黒表示状態の場合とそれ以外の通常表示状態の場合とに分けて説明する。
【００５１】
まず、図６〜図８を参照して、検出対象物体を検出する処理の概要について説明する。ここで図６は、通常表示状態のときに検出対象物体を線順次動作で検出する処理の一例を表したものである。一方、図７は、黒表示状態のときの表示部１の状況を断面図で表したものであり、図８は、同じく黒表示状態のときに検出対象物体を線順次動作で検出する処理の一例を表したものである。なお、黒表示状態とは、通常、表示部１の画素１１から可視光Ｌrgbが出射されていない状態を意味するが、ここでは説明のために、表示部１に表示されている映像が、全ての画素１１にわたって黒表示である状態を示すものとする。また、図６および図８に示した１マスは、表示部１における画素１１を表している。
【００５２】
まず、図６を参照して、通常表示状態の場合について説明する。
【００５３】
図６（Ａ）に示したように、非可視光発光素子ＣＬIRからは常に一定の輝度からなる非可視光ＬIRが出射されることから、表示部１における各画素１１は常に非可視光発光領域５１となっている。
【００５４】
ここで、図６（Ｂ），（Ｃ）に示したように、前述の１水平ライン分の可視光発光素子ＣＬrgbの発光動作（可視光発光領域５２の領域）、および１水平ライン分の受光センサ１１１の受光動作（受光領域５３の領域）が、それぞれ矢印Ｘのように同期して線順次動作（それぞれ、線順次発光動作および線順次受光動作）を行うことで、表示部１全体にわたってそれぞれ、映像の表示（可視光Ｌrgbの出射）ならびに可視光Ｌrgbおよび非可視光ＬIRの受光が可能となる。そして、例えば表示部１に指などの検出対象物体１２が接触あるいは近接すると、可視光発光領域５２から出射された可視光Ｌrgbおよび非可視光発光領域５１から出射された非可視光ＬIRが、それぞれこの検出対象物体１２で反射される。ここで、この可視光Ｌrgbまたは非可視光ＬIRを出射した画素と位置が近い画素（例えば、図６（Ｂ）の符号Ｐ３で示した水平ラインの画素）には、この検出対象物体１２での反射光が入射する一方、位置が遠い画素（例えば、図６（Ｃ）の符号Ｐ６で示した水平ラインの画素）には、この検出対象物体１２での反射光は入射しない。したがって、ある検出対象物体１２の近傍に位置する受光センサ１１１からは受光信号が検出される一方、それ以外の領域からは受光信号が検出されないことから、この検出対象物体１２が表示部１のどの位置に存在するのかが検知できる。
【００５５】
このようにして、１水平ラインが線順次発光動作すると共にその可視光Ｌrgbまたは非可視光ＬIRの出射光による反射光を線順次受光動作することにより、表示部１全体が発光領域になると共に受光領域となり、ある画像データが表示部１全体に渡って表示されることに加え、受光センサ１１１から検出された受光信号により、ある検出対象物体１２が表示部１の近傍に存在するかどうか、そして存在する場合はその位置が検出される。
【００５６】
また、黒表示状態の場合には、上記のように全ての画素１１で黒表示となることから、図７に示したように、光源１００から出射されたバックライト光ＬＯは、各可視光発光セルＣＷr，ＣＷg，ＣＷbにおいては、液晶層１０６で遮断される。一方、非可視光発光セルＣＷIRでは、前述のように常に一定の輝度からなる非可視光ＬIRが出射されることから、光源１００から出射されたバックライト光ＬＯは、液晶層１０６を透過することとなる。したがって、このような黒表示状態のときでも、図８（Ａ）〜（Ｃ）に示したように、この非可視光領域５１から出射された非可視光ＬIRを用いることで、図６に示した通常表示状態の場合と同様にして、検出対象物体１２の位置が検出される。このようにして、表示部１の表示状態、すなわち画像データに応じた輝度変化の影響や、さらに例えば周囲の状況（明るい場合や暗い場合など）など、そのときの使用状況の影響を受けることなく、検出対象物体１２の位置が検出される。
【００５７】
次に、図９を参照して、図１の画像表示装置において検出対象物体１５を検出する処理の詳細を、やはり通常表示状態の場合と黒表示状態の場合とに分けて説明する。ここで図９は、図１の画像表示装置において検出対象物体１５を検出する処理をタイミング図で表したものであり、（Ａ）は表示データ供給線ＤＷiを、（Ｂ）は非可視光発光用データ供給線ＤＷIRを、（Ｃ）は１〜ｎ番目の水平ラインの発光用ゲート線ＧＷ（ＧＷ1〜ＧＷn）を、（Ｄ）は１〜ｎ番目の水平ラインの受光用ゲート線ＧＲ（ＧＲ1〜ＧＲn）を、（Ｅ）は１〜ｎ番目の水平ラインにおける１垂直ライン分の発光受光セルＣＷＲi（ＣＷＲi1〜ＣＷＲin）を、（Ｆ）は各発光受光セルＣＷＲiに接続されたデータ読出線ＤＲiを、それぞれ示している。また、図９において位置を表す符号であるｉ，ｊ，ｎ，ｍは、ある自然数を表している。
【００５８】
また、図９において、横軸は時間を表し、垂直期間ＴＨ１，ＴＨｍは表示部１の画面全体分スキャンするのに要する時間、つまり可視光発光用スキャナ２４および受光用スキャナ３１がそれぞれ、ＧＷ1〜ＧＷnまでおよびＧＲ1〜ＧＲnまでスキャンする時間を表すものである。また、検出対象物体１２は表示部１における発光受光セルＣＷＲi(j-1)，ＣＷＲij，ＣＷＲi(j+1)付近にあるものとし、これに対応する期間、つまり垂直期間ＴＨ１においてはタイミングｔ３〜ｔ６の期間（受光信号検出期間ＴＦ１）において、同様に垂直期間ＴＨｍにおいては受光信号検出期間ＴＦｍにおいて受光信号が検出されるものとする。一方、縦軸は上記の（Ａ）〜（Ｄ），（Ｆ）に示した各信号の各タイミングにおける電圧を表している。ここで、（Ａ）に示した表示データ供給線ＤＷiの信号は、各画素１１において任意の輝度に対応する表示データであり、垂直期間ＴＨ１では通常表示状態、垂直期間ＴＨｍでは黒表示状態であることを表している。また、（Ｄ）に示したのは、各発光受光セルＣＷＲiにおける可視光Ｌrgbの発光と可視光Ｌrgbおよび非可視光ＬIRの受光とを行う発光受光期間ＴＲＷ、ならびに可視光Ｌrgbの発光期間ＴＷを表すものである。
【００５９】
なお、図９に示した処理は、可視光発光用スキャナ２４による発光動作のスキャンおよび受光用スキャナ３１による受光動作のスキャンが同じタイミングで同一の水平ラインによって線順次動作していく例であるが、可視光Ｌrgbの発光動作スキャンおよび受光動作スキャンは、独立して動作することが可能である。また、（Ｆ）に示したデータ読出線ＤＲiの信号は、アナログデータとして受光信号保持部３３に格納される例であるが、前述のようにデジタルデータとして受光信号保持部３３に格納するように構成することも可能である。
【００６０】
まず、通常表示状態の場合（垂直期間ＴＨ１）について説明する。
【００６１】
タイミングｔ０〜ｔ１では、全ての発光用ゲート線ＧＷおよび受光用ゲート線ＧＲに選択信号が供給されず、各発光受光セルＣＷＲiにおける発光素子選択スイッチＳＷ１および受光素子選択スイッチＳＷ２は、いずれもオフ状態となる。したがって、表示データ供給線ＤＷr，ＤＷg，ＤＷbと赤色発光素子ＣＬ、緑色発光素子ＣＬgまたは青色発光素子ＣＬbとの間の接続、ならびにデータ読出線ＤＲと受光センサ１１１との間の接続は切断され、各発光受光セルＣＷＲiは非動作状態となる。一方、可視光発光用データ線ＤＷIRには常に一定の電圧が印加され、一定の輝度からなる非可視光ＬIRが出射されている。
【００６２】
次にタイミングｔ１〜ｔ２において、発光用ゲート線ＧＷ1および受光用ゲート線ＧＲ1には発光用選択信号および受光用選択信号が供給され、これらのゲート線が接続された発光受光セルＣＷＲ11，ＣＷＲ21，…，ＣＷＲm1における発光素子選択スイッチＳＷ１および受光素子選択スイッチＳＷ２が、一斉にオン状態となる。またこのとき、図９中に発光受光期間ＴＲＷで示したように、各発光受光セルＣＷＲiにおいて、各可視光発光素子ＣＬr，ＣＬg，ＣＬbが表示データ供給線ＤＷiの信号に応じた輝度の発光動作を行うと共に、受光センサ１１１において受光された光量に応じた電流がデータ読出線ＤＲiへ供給されることで、受光動作がなされる。なお、この期間（タイミングｔ１〜ｔ２）では、検出対象物体１２による受光信号が検出されないことから、データ読出線ＤＲiからも出力信号は出力されない。
【００６３】
また、タイミングｔ２以降も同様にして、発光用ゲート線ＧＷ2および受光用ゲート線ＧＲ2，発光用ゲート線ＧＷ3および受光用ゲート線ＧＲ3，…と、線順次に発光動作および受光動作が行われるが、やはり検出対象物体１２による受光信号が検出されないので、データ読出線ＤＲiからは出力信号が出力されない。なお、各発光受光セルＣＷＲiとも、発光受光期間ＴＲＷが終了した後は、ある一定期間、発光動作期間ＴＷが保持される。
【００６４】
タイミングｔ３〜ｔ６において、検出対象物体１２からの反射光が、各発光受光セルＣＷＲi(j-1)，ＣＷＲij，ＣＷＲi(j+1)において受光されると、受光した光量に応じた電流が電圧に変換され、データ読出線ＤＲiへ出力される（受光信号検出期間ＴＦ１）。なお、この場合、各発光受光セルＣＷＲi(j-1)，ＣＷＲij，ＣＷＲi(j+1)では、自己の発光動作に基づく反射光、および非可視光発光セルＣＷIRからの出射光による反射光の両者が受光されることとなるので、データ読出線ＤＲiへ出力される信号は、表示データ供給線ＤＷiおよび非可視光発光用データ供給線ＤＷIRにおける信号に応じた値となる。
【００６５】
タイミングｔ６〜７も、タイミングｔ１〜ｔ３と同様に、発光用ゲート線ＧＷj+2および受光用ゲート線ＧＲj+2，発光用ゲート線ＧＷj+3および受光用ゲート線ＧＲj+3，…，発光用ゲート線ＧＷnおよび受光用ゲート線ＧＲnと、線順次に発光動作および受光動作が行われるが、やはり検出対象物体１２による受光信号が検出されないので、データ読出線ＤＲiからは出力信号が出力されない。
【００６６】
このようにして、垂直期間ＴＨ１において、発光受光セルＣＷＲi(j-1)，ＣＷＲij，ＣＷＲi(j+1)付近の位置に検出対象物体１５が存在すると検出することできる。
【００６７】
一方、黒表示状態の場合（垂直期間ＴＨｍ）のときも、基本的には通常表示状態の場合（垂直期間ＴＨ１）と同様に動作する。つまり、各発光受光セルＣＷＲiにおいて、各可視光発光素子ＣＬr，ＣＬg，ＣＬbが発光動作を行うと共に、受光センサ１１１において受光された光量に応じた電流がデータ読出線ＤＲiへ供給され、受光動作がなされる。ただし、この黒表示状態では、表示データ供給線ＤＷiの信号に応じた輝度がほぼ０であることから、受光センサ１１１では、非可視光発光セルＣＷIRからの出射光による反射光のみが受光される。つまり、各発光受光セルＣＷＲi(j-1)，ＣＷＲij，ＣＷＲi(j+1)は非可視光発光セルＣＷIRからの出射光による反射光のみを受光することになるので、データ読出線ＤＲiへ出力される信号は、非可視光発光用データ供給線ＤＷIRにおける信号に応じた値となる。このようにして、黒表示状態の垂直期間ＴＨｍにおいても、受光信号検出期間ＴＦｍにおいてデータ読出線ＤＲiから出力信号が出力され、やはり発光受光セルＣＷＲi(j-1)，ＣＷＲij，ＣＷＲi(j+1)付近の位置に検出対象物体１５が存在すると検出される。
【００６８】
以上のように、本実施の形態によれば、表示部１の表示面１０から非可視光ＬIRを出射すると共に、この表示面１０に接触または近接する検出対象物体１２で反射された非可視光ＬIRを表示面１０上で受光し、受光したこの非可視光ＬIRに基づいて検出対象物体１２の検出を行うようにしたので、表示部１の表示状態、すなわち画像データに応じた輝度変化の影響や、さらに例えば周囲の状況（明るい場合や暗い場合など）など、そのときの使用状況の影響を受けることなく、確実に検出することができる。
【００６９】
また、このような検出対象物体１２の位置などを検出するうえで、例えばタッチパネルなどの部品を別途設ける必要もないので、簡易な構成で実現することができる。
【００７０】
また、受光セルＣＲ内の受光センサ１１１が、非可視光ＬIRだけではなく可視光Ｌrgbをも受光するようにしたので、本実施の形態で説明してきた物体の検出処理に加え、例えば画像の取り込み処理を行うことができ、例えばスキャナとして利用することも可能となる。
【００７１】
また、可視光および非可視光を出射することが可能な光源１００と、カラーフィルタ１０７および選択透過フィルタ１０８とを組み合わせて構成したので、各可視光発光セルＣＷr，ＣＷg，ＣＷbからは可視光Ｌrgbを、非可視光発光セルＣＷIRからは非可視光ＬIRを、それぞれ別個に出射することができる。なお、このように可視光および非可視光を出射することが可能な光源１００の代わりに、可視光を出射することが可能な光源（第１光源）と、非可視光を出射することが可能な光源（第２光源）とを別個に設けるように構成してもよい。
【００７２】
また、非可視光発光セルＣＷIRからは、常に一定の輝度で非可視光ＬIRを出射するようにしたので、各可視光発光セルＣＷr，ＣＷg，ＣＷbや受光セルＣＲに設けられているような選択スイッチが不要となり、発光受光セルＣＷＲの構成を簡素化することが可能となる。
【００７３】
なお、本実施の形態では、図２に示したように、画素１１内において、各可視光発光セルＣＷr，ＣＷg，ＣＷbと非可視光発光セルＣＷIRおよび受光セルＣＲとが並列配置されている場合の例について説明してきたが、例えば図１０に示したように、画素１１内において、非可視光発光セルＣＷIRおよび受光セルＣＲを各可視光発光セルＣＷr，ＣＷg，ＣＷbの下部や上部に配置するようにしてもよい。
【００７４】
また、本実施の形態では、選択透過フィルタ１０８を非可視光発光セルＣＷIRに対応する領域のみに配置し、受光センサ１１１が非可視光ＬIRおよび可視光Ｌrgbの両者を受光する場合の例について説明してきたが、例えば図１１（Ａ）に示したように、選択透過フィルタ１０８を受光センサ１１１に対応する領域にも配置し、この受光センサ１１１が非可視光ＬIRのみを受光するようにしてもよい。このように構成した場合、可視光Ｌrgbの影響を取り除くことができるので、より確実に検出対象物体１２を検出することができる。また、例えば図１１（Ｂ）に示したように、受光セルＣＲ内に受光センサを複数（この場合、２つ）設け、非可視光ＬIRおよび可視光Ｌrgbの両者を受光する受光センサ１１１Ａと、非可視光ＬIRのみを受光する１１１Ｂとに区別し、これら受光センサ１１１Ａ，１１１Ｂを選択的に受光駆動するようにしてもよい。このように構成した場合、例えば本実施の形態で説明したような検出対象物体１２の検出処理と、前述の映像取り込み処理とを、自由に切り換えることが可能となる。なお、この受光センサ１１１Ａ上に、可視光Ｌrgbのみを選択的に透過するフィルタを設け、受光センサ１１１Ａが可視光Ｌrgbのみを受光するようにしてもよく、この場合のこの受光センサ１１１Ａは本発明における「第１受光素子」の一具体例に対応し、受光センサ１１１Ｂは本発明における「第２受光素子」の一具体例に対応する。
【００７５】
また、例えば図１２に示したように、非可視光ＬIRのみを選択的に透過する選択透過フィルタ１０８を、各画素１１内において、各可視光発光セルＣＷr，ＣＷg，ＣＷbに対応する領域以外の領域全てに配置するようにしてもよい。このように構成した場合、各可視光発光セルＣＷr，ＣＷg，ＣＷbに対応する領域以外からは、可視光Ｌrgbが出射されないことから、選択透過フィルタ１０８が、図３に示したブラックマトリクス１０９としての役割を果たすことが可能となる。よって、図３に示した表示部１の積層構造において、積層数を１層減らすことができることから、製造工程を簡素化することができ、製造コストを削減することが可能となる。
【００７６】
また、可視光発光用スキャナ２４に対して受光用スキャナ３１が間引いて（２本おきや３本おきに）駆動するようにしてもよい。そのように構成した場合、本実施の形態における効果に加え、受光信号のデータ量を削減することで受光側の回路（受光用スキャナ３１１、受光信号レシーバ３２、受光信号保持部３３）を簡素化することができ、また、低消費電力化を図ることも可能となる。よって、特に接触あるいは近接する物体の検出位置の精度よりも回路構成の簡素化および低消費電力化を図りたい場合には有効である。
【００７７】
また、複数の可視光発光セルＣＷr，ＣＷg，ＣＷbが出射した光を複数の受光セルＣＲが受光し、それらの受光信号を加算して１つの受光信号として出力するようにしてもよい。そのように構成した場合、第１の実施の形態における効果に加え、受光信号のデータ量を削減することで受光側の回路（受光用スキャナ３１、受光信号レシーバ３２および受光信号保持部３３）を簡素化することができ、また、低消費電力化を図ることも可能となる。またその場合、複数の受光信号を加算し、１つの受光信号として受光信号レシーバ３２に出力することになるので、出力信号量を上げてＳ／Ｎ比を向上させ、検出感度を上げることも可能となる。
【００７８】
また、各可視光発光セルＣＷr，ＣＷg，ＣＷbに対して受光セルＣＲの配置自体を間引くように構成にしてもよい。そのように構成した婆、第１の実施の形態における効果に加え、受光信号のデータ量を削減することで受光側の回路（受光用スキャナ３１３、受光信号レシーバ３２３、受光信号保持部３３３）を簡素化することができ、また、低消費電力化を図ることも可能となる。また逆に、各可視光発光セルＣＷr，ＣＷg，ＣＷbに対して複数の受光セルＣＲを配置するようにしてもよい。そのように構成した場合、第１の実施の形態における効果に加え、接触あるいは近接する物体をより精度良く位置検出することが可能となる。
【００７９】
［第２の実施の形態］
次に、本発明の第２の実施の形態について説明する。
【００８０】
上記の第１の実施の形態では、各発光素子（赤色発光素子ＣＬr、緑色発光素子ＣＬg、青色発光素子ＣＬbおよび非可視光発光素子ＣＬIR）が、いずれも液晶素子から構成されている場合について説明したが、本実施の形態では、各発光素子が、いずれも自発光素子である有機ＥＬ（ElectroLuminescence）素子から構成されている場合について説明する。
【００８１】
図１３は、本実施の形態に係る画像表示装置の全体構成を表すものである。この図において、図１に示した第１の実施の形態に係る画像表示装置の構成要素と同一の構成要素には同一の符号を付し、適宜説明を省略する。この画像表示装置は、図１に示した第１の実施の形態における表示部１に代えて、表示部６を備えたものである。
【００８２】
表示部６は、表示部１と同様に、複数の各画素６１が全面に渡ってマトリクス状に配置され、線順次動作をしながら所定の図形や文字などの画像を表示するものである。また、画素６１は、画素１１と同様に、可視光を発する可視光発光セルＣＷrgb、非可視光を発する非可視光発光セルＣＷIR、ならびに可視光および非可視光のいずれをも受光することが可能な受光セルＣＲを有する発光受光セルＣＷＲから構成されている。この表示部６が表示部１と異なるのは、上記のように、各発光素子（赤色発光素子ＣＬr、緑色発光素子ＣＬg、青色発光素子ＣＬbおよび非可視光発光素子ＣＬIR）を有機ＥＬ素子から構成するようにした点である。
【００８３】
図１４は、各画素６１における発光受光セルＣＷＲの構成の一例を平面図で表したものであり、第１の実施の形態における図２に対応するものである。本実施の形態の発光受光セルＣＷＲは、前述のように可視光発光セルＣＷrgbと、非可視光発光セルＣＷIRと、受光セルＣＲとを有している。また、そのうちの可視光発光セルＣＷrgbは、赤色発光する赤色発光セルＣＷrと、緑色発光する緑色発光セルＣＷgと、青色発光する青色発光セルＣＷbとを有している。また、赤色発光セルＣＷrは、赤色発光する部分である赤色発光素子ＥＬrと、この赤色発光素子ＥＬrを駆動するスイッチ素子（後述する発光素子選択スイッチＳＷ３Ｒ）を含むＴＦＴ回路部６１３Ｒとを有し、緑色発光セルＣＷgは、緑色発光する部分である緑色発光素子ＥＬgと、この緑色発光素子ＥＬgを駆動するスイッチ素子（後述する発光素子選択スイッチＳＷ３Ｇ）を含むＴＦＴ回路部６１３Ｇとを有し、青色発光セルＣＷbは、青色発光する部分である青色発光素子ＥＬbと、この青色発光素子ＥＬbを駆動するスイッチ素子（後述する発光素子選択スイッチＳＷ３Ｂ）を含むＴＦＴ回路部６１３Ｂとを有している。また、非可視光発光セルＣＷIRは、非可視光を発する部分である非可視光発光素子ＥＬIRと、この非可視光発光素子ＥＬIRへ電荷を供給する容量素子（後述するキャパシタＣIR）を含むＴＦＴ回路部６１３ＩＲとを有し、受光セルＣＲは、受光センサ１１１と、この受光センサ１１１を駆動する受光素子選択スイッチＳＷ２を含む受光センサ回路部１１２とを有している。なお、赤色発光素子ＥＬr、緑色発光素子ＥＬgおよび青色発光素子ＥＬbはそれぞれ、本発明における「赤色発光有機ＥＬ素子」、「緑色発光有機ＥＬ素子」および「青色発光有機ＥＬ素子」の一具体例に対応する。また、非可視光発光素子ＥＬIRは、本発明における「非可視光発光有機ＥＬ素子」の一具体例に対応する。
【００８４】
図１５は、図１４におけるＢ−Ｂ部分の矢視断面図であり、表示部６の断面構成の一例を表したものであり、第１の実施の形態における図３に対応するものである。この表示部６は、各発光素子（赤色発光素子ＥＬr、緑色発光素子ＥＬg、青色発光素子ＥＬbおよび非可視光発光素子ＥＬIR）を構成する積層構造から構成されている。また、この積層構造は具体的には、ガラス基板６０２Ａと、回路部６０３と、コンタクト部６０１と、絶縁層６０４と、画素電極６０５Ａと、有機層６０６と、透明電極６０５Ｂと、ガラス基板６０２Ｂとから構成されている。すなわち、これら各発光素子は上記のように有機ＥＬ素子から構成され、互いに対向するガラス基板６０２Ａ，６０２Ｂの間に有機層６０６を設けた構成となっている。
【００８５】
ガラス基板６０２Ａ，６０２Ｂは、ガラス基板１０２Ａ，１０２Ｂと同様に、いずれもガラス材料からなる透明基板である。ただし、これら６０２Ａ，６０２Ｂをガラス材料の代わりに、透明なプラスチック材料などから構成してもよい。なお、これらガラス基板６０２Ａ，６０２Ｂは本発明における「一対の基板」の一具体例であり、そのうちのガラス基板６０２Ｂは本発明における「表示面側の基板」の一具体例に対応する。
【００８６】
回路部６０３は、図１４に示したＴＦＴ回路部６１３や受光センサ回路部１１２に対応する部分であり、コンタクト部６０１を介して各画素電極６０５Ａと電気的に接続されている。また、この画素電極６０５Ａは、各可視光発光セルＣＷＲrgbに配置されている。一方、透明電極６０５Ｂは透明電極６０５Ａと対向する共通電極であり、例えばＩＴＯなどの透明材料から構成される。
【００８７】
有機層６０６は、所定の有機材料から構成されており、画素電極６０５Ａおよび透明電極６０５Ｂ間に表示データに応じた電圧が印加されると、材料の組成に応じた所定の波長領域の光を、印加された電圧に応じた輝度で発光するものである。具体的には、可視光発光セルＣＷＲrにおける有機層６０６は赤色光Ｌrを、可視光発光セルＣＷＲgにおける有機層６０６は緑色光Ｌgを、可視光発光セルＣＷＲbにおける有機層６０６は青色光Ｌbを出射する一方、非可視光発光セルＣＷIRにおける有機層６０６は非可視光ＬIRを出射するようになっている。この非可視光発光セルＣＷIRにおける有機層６０６は、例えばポルフィリン・フラーレン膜の電荷移動錯体などから構成することができる。なお、各可視光発光セルＣＷＲrgbにおける有機層６０６は、本発明における「発光層」の一具体例に対応し、非可視光発光セルＣＷＲIRにおける有機層６０６は、本発明における「非可視光発光層」の一具体例に対応する。
【００８８】
図１６は、各画素６１における発光受光セルＣＷＲの回路構成の一例を表したものであり、第１の実施の形態における図５に対応するものである。第１の実施の形態の各画素１１における発光受光セルと異なるのは、各可視光発光セルＣＷrgb内の構成である。具体的には、赤色発光セルＣＷrは、前述の赤色発光素子ＥＬrと、前述のＴＦＴ回路部６１３Ｒ内に設けられた発光素子選択スイッチＳＷ３Ｒと、電荷保持用のキャパシタＣrとを有している。緑色発光セルＣＷgは、前述の緑色発光セルＥＬgと、前述のＴＦＴ回路部６１３Ｇ内に設けられた発光素子選択スイッチＳＷ３Ｇと、電荷保持用のキャパシタＣgとを有している。青色発光セルＣＷbは、前述の青色発光素子ＥＬbと、前述のＴＦＴ回路部６１３Ｂ内に設けられた発光素子選択スイッチＳＷ３Ｂと、電荷保持用のキャパシタＣbとを有している。また、非可視光発光セルＣＷIRは、前述の非可視光発光素子ＥＬIRと、定電圧電源ＶIRと、電荷保持用のキャパシタＣIRとを有している。なお、これら発光素子選択スイッチＳＷ３Ｒ，ＳＷ３Ｇ，ＳＷ３Ｂは、いずれも発光素子選択スイッチＳＷ１Ｒ，ＳＷ１Ｇ，ＳＷ１Ｂと同様に、例えばＴＦＴなどのスイッチ素子から構成される。
【００８９】
発光素子選択スイッチＳＷ３Ｒ，ＳＷ３Ｇ，ＳＷ３Ｂはそれぞれ、発光用ゲート線ＧＷによってそのオンオフ動作が制御されるようになっている。また、発光素子選択スイッチＳＷ３Ｒの一端は表示データ供給線ＤＷrに接続され、その他端はキャパシタＣrの一端に接続され、キャパシタＣrの他端は赤色発光素子ＥＬrの一端（具体的には、前述の画素電極６０５Ａ）に接続され、赤色発光素子ＥＬrの他端（具体的には、前述の透明電極６０５Ｂ）は接地されている。同様に、発光素子選択スイッチＳＷ３Ｇの一端は表示データ供給線ＤＷgに接続され、その他端はキャパシタＣgの一端に接続され、キャパシタＣgの他端は緑色発光素子ＥＬgの一端に接続され、緑色発光素子ＥＬgの他端は接地されている。発光素子選択スイッチＳＷ３Ｂの一端は表示データ供給線ＤＷbに接続され、その他端はキャパシタＣbの一端に接続され、キャパシタＣbの他端は青色発光素子ＥＬbの一端に接続され、青色発光素子ＥＬbの他端は接地されている。また、非可視光発光素子ＣＬIRの一端（具体的には、前述の画素電極６０５Ａ）は、非可視光発光用データ供給線ＤＷIRおよびキャパシタＣIRを介して定電圧電源ＶIRに接続され、その他端（具体的には、前述の透明電極６０５Ｂ）は接地されている。
【００９０】
このような回路構成により、本実施の形態の発光受光セルＣＷＲでは、以下のような発光動作がなされる。なお、受光動作については、第１の実施の形態と同様であるので、その説明を省略する。
【００９１】
まず、可視光Ｌrgbの発光動作時には、発光用ゲート線ＧＷから供給される発光用選択信号に応じて、１水平ライン分の発光素子選択スイッチＳＷ３Ｒ，ＳＷ３Ｇ，ＳＷ３Ｂがそれぞれオン状態となる。そして各表示信号に応じた輝度の発光となるよう、表示データ供給線ＤＷr，ＤＷg，ＤＷbからそれぞれＩ３r，Ｉ３g，Ｉ３bの経路にて、キャパシタＣr，Ｃg，Ｃbに電荷が充電される。そしてこれらキャパシタＣr，Ｃg，Ｃbに充電された電荷が赤色発光素子ＣＬ、緑色発光素子ＣＬgおよび青色発光素子ＣＬbへそれぞれ供給されることで電流が流れ、これら発光素子はそれぞれ、各発光色に対応すると共に各表示信号に応じた輝度からなる発光動作を行う。これに対して、非可視光ＬIRの発光動作については、定電圧電源ＶIRから非可視光発光用データ供給線ＤＷIRを介してキャパシタＣIRに常に一定の電圧が印加されることから、非可視光発光素子ＣＬIRへは常に一定の電流がＩ３IRの経路にて流れ、非可視光発光素子ＣＬIRは、一定の輝度からなる非可視光ＬIRの発光動作を行う。
【００９２】
なお、発光動作および受光動作のいずれの動作も行っていないときには、発光素子選択スイッチＳＷ３Ｒ，ＳＷ３Ｇ，ＳＷ３Ｂおよび受光素子選択スイッチＳＷ２のいずれのスイッチもオフ状態となっており、表示データ供給線ＤＷr，ＤＷg，ＤＷbと赤色発光素子ＥＬr、緑色発光素子ＥＬgまたは青色発光素子ＥＬbとの間の接続、ならびにデータ読出線ＤＲと受光センサ１１１との間の接続は、いずれも切断されるようになっている。
【００９３】
本実施の形態における検出対象物体の検出方法は、第１の実施の形態における検出対象物体の検出方法と基本的に同様であり、異なるのは、駆動する各発光素子が、液晶素子の代わりに有機ＥＬ素子となっている点である。したがって、図６〜図９に示した第１の実施の形態の場合と同様、通常表示状態の場合、受光素子検出期間ＴＦ１において受光信号が得られることで、発光受光セルＣＷＲi(j-1)，ＣＷＲij，ＣＷＲi(j+1)付近の位置に検出対象物体１２が存在すると検出される。
【００９４】
また、例えば図１７に示したような黒表示状態（非可視光発光セルＣＷIRのみから、非可視光ＬIRが出射されている状態）においても、やはり第１の実施の形態の場合と同様に、受光素子検出期間ＴＦｍにおいて受光信号が得られることで、検出対象物体１２の位置が検出される。
【００９５】
以上のように、本実施の形態によれば、各発光素子（可視光発光素子ＥＬr，ＥＬg，ＥＬbおよび非可視光発光素子ＥＬIR）を自発光素子である有機ＥＬ素子から構成したとしても、第１の実施の形態と同様、使用状況の影響を受けることなく、確実に検出対象物体１２を検出することができる。
【００９６】
なお、例えば図１８に示したように、非可視光発光セルＣＷIRを非可視光発光素子ＥＬIRの代わりに、白色発光素子ＥＬLOと、前述の選択透過フィルタ１０８との組み合わせにより構成するようにしてもよい。ここで、この白色発光素子ＥＬLOは本発明における「白色発光有機ＥＬ素子」の一具体例に対応し、この場合の非可視光発光セルＣＷIRは本発明における「白色発光層」の一具体例に対応する。このように構成した場合でも、非可視光発光セルＣＷIRから、非可視光ＬIRを出射することができる。また、例えば図１９に示したように、各可視光発光セルＣＷrgbにおいても、前述のカラーフィルタ１０７を設けるようにしてもよい。このように構成した場合、各可視光発光素子ＥＬr，ＥＬg，ＥＬbから出射される可視光Ｌrgbの色純度を高めることができる。
【００９７】
さらに、例えば図２０に示したように、各可視光発光セルＣＷrgbを、白色発光素子ＥＬLOとカラーフィルタ１０７との組み合わせにより構成するようにしてもよく、また、例えば図２１に示したように、非可視光発光セルＣＷIRおよび各可視光発光セルＣＷrgbの両者を、白色発光素子ＥＬLOと、選択透過フィルタ１０８またはカラーフィルタ１０７との組み合わせにより構成するようにしてもよい。このように構成した場合でも、各可視光発光セルＣＷrgbから各可視光Ｌrgbを出射すると共に、非可視光発光セルＣＷIRから非可視光ＬIRを出射することができる。
【００９８】
なお、本実施の形態では、自発光素子の一例として、各発光素子（赤色発光素子ＣＬr、緑色発光素子ＣＬg、青色発光素子ＣＬbおよび非可視光発光素子ＣＬIR）を有機ＥＬ素子から構成した場合について説明してきたが、他の自発光素子、例えば発光ダイオード（ＬＥＤ；Light Emitting Diode）から構成してもよい。
【００９９】
また、本実施の形態においても、第１の実施の形態の場合と同様に、各発光受光セルＣＷＲの配置や構成を任意に設定することが可能であり、また、種々の発光駆動または受光駆動を行うことが可能である。
【０１００】
［第３の実施の形態］
次に、本発明の第３の実施の形態について説明する。
【０１０１】
上記の第１および第２の実施の形態では、非可視光の発光素子と非可視光（および可視光）の受光素子とを別々に構成（非可視光発光素子ＣＬIRおよび受光センサ１１１）した場合について説明してきたが、本実施の形態では、このような非可視光の発光素子と非可視光（および可視光）の受光素子とを単一の素子（非可視光発光素子ＥＬIR）で構成した場合について説明する。
【０１０２】
図２２は、本実施の形態に係る画像表示装置の全体構成を表すものである。この図において、図１に示した第１の実施の形態に係る画像表示装置または図１３に示した第２の実施の形態に係る画像表示装置の構成要素と同一の構成要素には同一の符号を付し、適宜説明を省略する。この画像表示装置は、図１，図１３に示した第１または第２の実施の形態における表示部１，６に代えて表示部７を設けると共に、受光用スキャナ３１の代わりに、受光信号選択スキャナ３５を設けるようにしたものである。なお、本実施の形態における表示信号ドライバ２３および可視光発光スキャナ２４は、本発明における「第３発光駆動手段」の一具体例に対応し、受光信号選択スキャナ３５は、本発明における「第４発光駆動手段」および「第２受光駆動手段」の一具体例に対応する。
【０１０３】
表示部７は、表示部１，６と同様に、複数の各画素７１が全面に渡ってマトリクス状に配置され、線順次動作をしながら所定の図形や文字などの画像を表示するものである。この画素７１が表示部１，６と異なるのは、発光受光セルＣＷＲを、可視光を発する可視光発光セルＣＷrgbと、非可視光の発光と非可視光（および可視光）の受光とを併有する非可視光発光受光セルＣＷＲIRとから構成するようにした点である。すなわち、表示部１，６における可視光発光セルＣＷIRおよび受光セルＣＲの機能を、非可視光発光受光セルＣＷＲIRにもたせるようにした点である。
【０１０４】
受光信号選択スキャナ３５は、表示信号保持制御部２２から出力される受光タイミング制御信号４２に応じて、非可視光発光受光セルＣＷＲIRの発光動作と受光動作とを切り換え、それにより受光駆動対象の非可視光発光受光セルＣＷＲIRを選択するものである。具体的には後述するように、表示部７の各画素７１に接続された切換線Ｓを介して切換信号を供給し受光信号選択スキャナ３５は、受光用スキャナ３１と同様に、受光信号レシーバ３２および受光信号保持部３３に対してそれぞれ受光ブロック制御信号４３を出力し、これら受光動作に寄与する部分の動作を制御する役割も果たしている。
【０１０５】
図２３は、各画素７１における発光受光セルＣＷＲの構成の一例を平面図で表したものであり、第１の実施の形態における図２、および第２の実施の形態における図１４に対応するものである。本実施の形態の発光受光セルＣＷＲは、前述のように可視光発光セルＣＷrgbと、非可視光発光受光セルＣＷＲIRとを有している。そのうちの非可視光発光受光セルＣＷＲIRは、非可視光の発光と非可視光（および可視光）の受光とを併有する部分である非可視光発光素子ＥＬIRを有している。この非可視光発光セルＣＷIRは、非可視光を発する部分である非可視光発光素子ＥＬIRと、この非可視光発光素子ＥＬIRへ電荷を供給する容量素子（キャパシタＣIR）を含むＴＦＴ回路部７１３ＩＲとを有している。なお、この非可視光発光素子ＥＬIRは、後述するように逆方向バイアス電圧の印加により、非可視光（および可視光）の受光ができるようになっている。また、この場合の赤色発光素子ＥＬr、緑色発光素子ＥＬgおよび青色発光素子ＥＬbは本発明における「第３発光素子」の一具体例に対応し、この場合の非可視光発光素子ＥＬIRは本発明における「発光受光素子」の一具体例に対応する。
【０１０６】
また、図２４は、各画素７１における発光受光セルＣＷＲの回路構成の一例を表したものであり、第１の実施の形態における図５、および第２の実施の形態における図１６に対応するものである。第２の実施の形態の各画素６１における発光受光セルと異なるのは、非可視光発光セルＣＷIRおよび受光セルＣＲの代わりに、非可視光発光受光セルＣＷＲIRを設けた点である。この非可視光発光受光セルＣＷＲIRは、前述の非可視光発光素子ＥＬIRと、定電圧電源ＶIRと、電荷保持用のキャパシタＣIRと、発光動作と受光動作とを切り換える切換スイッチＳＷ４，ＳＷ５と、抵抗器ＲIRを有している。なお、これら切換スイッチＳＷ４，ＳＷ５は、いずれも発光素子選択スイッチＳＷ１Ｒ，ＳＷ１Ｇ，ＳＷ１Ｂなどと同様に、例えばＴＦＴなどのスイッチ素子から構成される。
【０１０７】
切換スイッチＳＷ４，ＳＷ５はそれぞれ、切換線Ｓによってそのオンオフ動作が制御されるようになっている。また、非可視光発光素子ＣＬIRの一端（具体的には、前述の画素電極６０５Ａ）は、非可視光発光用データ供給線ＤＷIR、切換スイッチＳＷ４およびキャパシタＣIRを介して定電圧電源ＶIRに接続され、その他端（具体的には、前述の透明電極６０５Ｂ）は接地されている。さらに、この非可視光発光素子ＣＬIRの一端は切換スイッチＳＷ５を介して抵抗器ＲIRの一端およびデータ読出線ＤＲにも接続され、抵抗器ＲIRの他端は接地または正バイアス点（図示せず）に接続されている。
【０１０８】
このような回路構成により、本実施の形態の発光受光セルＣＷＲでは、非可視光発光受光セルＣＷＲIRにおいて、以下のような非可視光の発光動作および非可視光（および可視光）の受光動作がなされる。なお、各可視光発光セルＣＷr，ＣＷg，ＣＷbにおける可視光の発光動作については、第２の実施の形態と同様であるので、その説明を省略する。
【０１０９】
まず、非可視光ＬIRの発光動作時には、切換線Ｓから供給される切換信号に応じて、１水平ライン分の切換スイッチＳＷ４がそれぞれオン状態となる一方、１水平ライン分の切換スイッチＳＷ５がそれぞれオフ状態となる。したがって、第２の実施の形態の場合と同様に、定電圧電源ＶIRから非可視光発光用データ供給線ＤＷIRを介してキャパシタＣIRに常に一定の電圧が印加され、非可視光発光素子ＣＬIRへは常に一定の電流がＩ３IRの経路にて流れることで、非可視光発光素子ＣＬIRは、一定の輝度からなる非可視光ＬIRの発光動作を行う。
【０１１０】
一方、非可視光ＬIR（および可視光Ｌrgb）の受光動作時には、切換線Ｓから供給される切換信号に応じて、１水平ライン分の切換スイッチＳＷ４がそれぞれオフ状態となる一方、１水平ライン分の切換スイッチＳＷ５がそれぞれオン状態となる。また、このとき非可視光発光素子ＥＬIRに逆方向バイアス電圧が印加される。ここで、例えば有機ＥＬ素子やＬＥＤ素子などは、順方向バイアス電圧が印加されると発光動作を行い、逆方向バイアス電圧が印加されると、受光して電流を発生する性質を有している。したがって、このように切換スイッチＳＷ４がオフ状態、および切換スイッチＳＷ５がオン状態となると共にこの非可視光発光素子ＥＬIRに逆方向バイアス電圧が印加されることで、非可視光発光素子ＥＬIRにおいて受光した光量に応じた電流がＩ４の経路にてデータ読出線ＤＲへ供給され、非可視光ＬIR（および可視光Ｌrgb）の受光動作がなされる。なお、抵抗器ＲIRは、Ｉ４の経路でデータ読出線ＤＲに供給された電流に基づいてその両端に電位差を生じさせ、これを受光信号として出力するためのものである。
【０１１１】
なお、このような発光動作および受光動作のいずれの動作も行っていないときには、切換スイッチＳＷ４，ＳＷ５のいずれのスイッチもオフ状態となっており、非可視光発光用データ供給線ＤＷIRと非可視光発光素子ＥＬIRとの間の接続、およびデータ読出線ＤＲと非可視光発光素子ＥＬIRとの間の接続は、いずれも切断されるようになっている。
【０１１２】
本実施の形態の画像表示装置において検出対象物体を検出する処理は、通常表示状態および黒表示状態の場合とも、基本的には第１および第２の実施の形態と同様である。これら第１および第２の実施の形態と異なるのは、可視光発光セルＣＷIRおよび受光セルＣＲの機能を非可視光発光受光セルＣＷＲIRにもたせるようにしたことで、非可視光の発光動作と非可視光（および可視光）の受光動作とが同一画素ではなされない点である。
【０１１３】
具体的には、例えば図２５（Ａ）〜（Ｃ）に示したように、通常表示状態の場合は、第１の実施の形態で説明した図６（Ａ）〜（Ｃ）の場合と比較すると、非可視光発光領域５１と受光領域５３とが同一画素には適用されないようになっている。この他の点は、第１および第２の実施の形態と同様である。すなわち、１水平ラインが矢印Ｘの方向に線順次発光動作すると共にその可視光Ｌrgbまたは非可視光ＬIRの出射光による反射光を線順次受光動作することで、表示部７全体が発光領域になると共に受光領域となり、ある画像データが表示部７全体に渡って表示されることに加え、非可視光発光素子ＥＬIRの受光動作により検出された受光信号に基づいて、ある検出対象物体１２が表示部７の近傍に存在するかどうか、そして存在する場合はその位置が検出される。
【０１１４】
一方、例えば図２６（Ａ）〜（Ｃ）に示したように黒表示状態の場合にも、第１の実施の形態で説明した図８（Ａ）〜（Ｃ）の場合と比較すると、非可視光発光領域５１と受光領域５３とが同一画素には適用されない点を除いては、同様の動作がなされる。すなわち、非可視光領域５１から出射された非可視光ＬIRを用いることで、通常表示状態の場合と同様にして、黒表示状態の場合でも検出対象物体１２の位置が検出される。このようにして、表示部１の表示状態、すなわち画像データに応じた輝度変化の影響や、さらに例えば周囲の状況（明るい場合や暗い場合など）など、そのときの使用状況の影響を受けることなく、検出対象物体１２の位置が検出される。
【０１１５】
また、本実施の形態における画像表示装置の駆動方法の基本動作も、通常表示状態および黒表示状態の場合とも、第１および第２の実施の形態における画像表示装置の駆動方法の基本動作と同様である。したがって、受光素子検出期間ＴＦ１，ＴＦｍにおいて受光信号が得られることで、発光受光セルＣＷＲi(j-1)，ＣＷＲij，ＣＷＲi(j+1)付近の位置に検出対象物体１２が存在すると検出される。
【０１１６】
以上のように、本実施の形態によれば、非可視光の発光素子と非可視光（および可視光）の受光素子とを単一の素子（非可視光発光素子ＥＬIR）から構成し、非可視光の発光と非可視光（および可視光）の受光とを時分割動作させるようにしたので、第１および第２の実施の形態の場合の効果に加えて発光受光セルＣＷＲの構成が簡素化し、表示部７の回路構成や配線構成も簡素化することが可能となる。
【０１１７】
なお、本実施の形態では、非可視光発光受光セルＣＷＲIRにおける非可視光の発光受光素子（非可視光発光素子ＥＬIR）を、有機ＥＬ素子から構成した場合について説明してきたが、このような非可視光の発光機能および受光機能を併有する他の素子、例えば発光ダイオードなどから構成してもよい。
【０１１８】
また、本実施の形態では、非可視光発光素子ＥＬIRが、非可視光および可視光を受光するように構成した場合について説明してきたが、例えば第１および第２の実施の形態の場合と同様に、非可視光発光セルＣＷＲIRに対応する領域に選択透過フィルタ１０８を設け、この非可視光発光素子ＥＬIRが、非可視光のみを受光するよう構成してもよい。
【０１１９】
また、本実施の形態においても、第１および第２の実施の形態の場合と同様に、各発光受光セルＣＷＲの配置や構成を任意に設定することが可能であり、また、種々の発光駆動または受光駆動を行うことが可能である。
【０１２０】
以上、第１〜第３の実施の形態を挙げて本発明を説明したが、本発明はこれらの実施の形態に限定されるものではなく、種々の変形が可能である。
【０１２１】
例えば、上記実施の形態では、受光された受光信号に基づいて、表示部１，６，７における検出対象物体１２の位置を検出する場合について説明してきたが、この受光信号に基づいて、検出対象物体１２の位置および大きさのうちの少なくとも一方を検出するようにしてもよく、また、同時に配置された複数の検出対象物体を検出することも可能である。
【０１２２】
また、上記実施の形態では、非可視光発光素子ＣＬIRが常に一定の輝度で非可視光ＬIRを出射する場合について説明してきたが、常に一定輝度とするのではなく、例えば所定の周期をなすパルス波形状に出射するように構成してもよい。このように構成した場合、上記実施の形態における効果に加え、低消費電力化を図ることが可能となる。
【０１２３】
また、上記実施の形態では、非可視光ＬIRを、可視光領域よりも長波長側の領域（近赤外・赤外領域）の光から構成した場合ついて説明してきたが、逆にこの非可視光ＬIRを、可視光領域よりも短波長側の領域（紫外領域）の光から構成してもよい。
【０１２４】
また、上記実施の形態では、可視光Ｌrgbと非可視光ＬIRとを別個の発光素子からそれぞれ独立して出射する場合について説明してきたが、これら可視光Ｌrgbおよび非可視光ＬIRをそれぞれ、単一の発光素子から時分割で出射するように構成してもよい。このように構成した場合、回路構成が簡素化すると共に低消費電力化を図ることが可能となる。
【０１２５】
さらに、上記実施の形態では、表示部１、６，７の各画素１１，６１，７１（各発光素子および受光素子）が、いずれもマトリクス状に配置されて線順次動作を行う場合について説明してきたが、各画素（各発光素子および受光素子）の配置および動作方法はこれには限られず、例えば各画素（各発光素子および受光素子）を所定のセグメント状に配置するようにしてもよい。
【図面の簡単な説明】
【０１２６】
【図１】本発明の第１の実施の形態に係る画像表示装置の全体構成を表すブロック図である。
【図２】図１における発光受光セルの構成の一例を模式的に表す平面図である。
【図３】図１における発光受光セルの構成の一例を模式的に表す断面図である。
【図４】図３における透過フィルタの透過特性を表す特性図である。
【図５】図１における発光受光セルの構成の一例を表す回路図である。
【図６】通常表示状態のときに検出対象物体を線順次動作で検出する処理の一例を表す模式図である。
【図７】黒表示状態のときの発光受光セルの構成の一例を模式的に表す断面図である。
【図８】黒表示のときに検出対象物体を線順次動作で検出する処理の一例を表す模式図である。
【図９】検出対象物体を線順次動作で検出する処理の一例を表すタイミング図である。
【図１０】図１における発光受光セルの構成の他の例を模式的に表す平面図である。
【図１１】図１における発光受光セルの構成の他の例を模式的に表す平面図である。
【図１２】図１における発光受光セルの構成の他の例を模式的に表す平面図である。
【図１３】本発明の第２の実施の形態に係る画像表示装置の全体構成を表すブロック図である。
【図１４】図１３における発光受光セルの構成の一例を模式的に表す平面図である。
【図１５】図１３における発光受光セルの構成の一例を模式的に表す断面図である。
【図１６】図１３における発光受光セルの構成の一例を表す回路図である。
【図１７】図１３において黒表示のときの発光受光セルの構成の一例を模式的に表す断面図である。
【図１８】図１３における発光受光セルの構成の他の例を模式的に表す断面図である。
【図１９】図１３における発光受光セルの構成の他の例を模式的に表す断面図である。
【図２０】図１３における発光受光セルの構成の他の例を模式的に表す断面図である。
【図２１】図１３における発光受光セルの構成の他の例を模式的に表す断面図である。
【図２２】本発明の第３の実施の形態に係る画像表示装置の全体構成を表すブロック図である。
【図２３】図２２における発光受光セルの構成の一例を模式的に表す平面図である。
【図２４】図２２における発光受光セルの構成の一例を表す回路図である。
【図２５】通常表示状態のときに検出対象物体を線順次動作で検出する処理の一例を表す模式図である。
【図２６】黒表示状態のときに検出対象物体を線順次動作で検出する処理の一例を表す模式図である。
【符号の説明】
【０１２７】
１，６，７…表示部、１００…光源、１０１Ａ，１０１Ｂ…偏光板、１０２Ａ，１０２Ｂ…ガラス基板、１０３…回路部、１０４…絶縁層、１０５Ａ…透明画素電極、１０５Ｂ…透明電極、１０６…液晶層、１０７…カラーフィルタ、１０８…選択透過フィルタ、１０９…ブラックマトリクス、１０，６０…表示面、１１，６１，７１…画素、１１１…受光センサ、１１２…受光センサ回路部、１１３，６１３，７１３…ＴＦＴ回路部、１２…検出対象物体、２１…表示信号生成部、２２…表示信号保持制御部、２３…表示信号ドライバ、２４…可視光発光用スキャナ、３１…受光用スキャナ、３２…受光信号レシーバ、３３…受光信保持部、３４…位置検出部、３５…受光信号選択スキャナ、４１…発光タイミング制御信号、４２…受光タイミング制御信号、４３…受光ブロック制御信号、５１…非可視光発光領域、５２…可視光発光領域、５３…受光領域、６０１…コンタクト部、６０２Ａ，６０２Ｂ…ガラス基板、６０３…回路部、６０４…絶縁層、６０５Ａ…画素電極、６０５Ｂ…透明電極、６０６…有機層、ＣＷＲ…発光受光セル、ＣＷＲIR…非可視光発光受光セル、ＣＷrgb…可視光発光セル、ＣＷr…赤色発光セル、ＣＷg…緑色発光セル、ＣＷb…青色発光セル、ＣＷIR…非可視光発光セル、ＣＲ…受光セル、ＧＷ…発光用ゲート線、ＧＲ…受光用ゲート線、ＤＷ，ＤＷr，ＤＷg，ＤＷb…表示データ供給線、ＤＷIR…非可視光発光用データ供給線、ＤＲ…データ読出線、Ｓ…切換線、ＣＬr，ＥＬr…赤色発光素子、ＣＬg，ＥＬg…緑色発光素子、ＣＬb，ＥＬb…青色発光素子、ＣＬIR，ＥＬIR…非可視光発光素子、ＥＬLO…白色発光素子、ＳＷ１Ｒ，ＳＷ１Ｇ，ＳＷ１Ｂ，ＳＷ３r，ＳＷ３g，ＳＷ３b…発光素子選択スイッチ、ＳＷ２…受光素子選択スイッチ、ＳＷ４，ＳＷ５…切換スイッチ、Ｉ１r，Ｉ１g，Ｉ１b，Ｉ３r，Ｉ３g，Ｉ３b…表示信号電流路、Ｉ１IR，Ｉ３IR…非可視光発光電流、Ｉ２，Ｉ４…受光信号電流路、Ｃr，Ｃg，Ｃb，ＣIR…キャパシタ、ＲIR…抵抗器、ＶIR…固定電圧電源、Ｘ…スキャン方向、Ｐ３，Ｐ６…スキャン中のラインの位置、ＴＨ１，ＴＨｍ…垂直期間、ＴＲＷ…発光受光期間、ＴＷ…発光期間、ＴＦ１，ＴＦｍ…受光信号検出期間、ｔ１〜ｔ１１…タイミング、ＬＯ…バックライト光（白色光）、Ｌrgb…可視光、Ｌr…赤色光、Ｌg…緑色光、Ｌb…青色光、ＬIR…非可視光、Ｐrgb…可視光発光スペクトル、Ｐr…赤色発光スペクトル、Ｐg…緑色発光スペクトル、Ｐb…青色発光スペクトル、ＰIR…非可視光発光スペクトル。
【図１】
2006301864.tif 000003
【図２】
2006301864.tif 000004
【図３】
2006301864.tif 000005
【図４】
2006301864.tif 000006
【図５】
2006301864.tif 000007
【図６】
2006301864.tif 000008
【図７】
2006301864.tif 000009
【図８】
2006301864.tif 000010
【図９】
2006301864.tif 000011
【図１０】
2006301864.tif 000012
【図１１】
2006301864.tif 000013
【図１２】
2006301864.tif 000014
【図１３】
2006301864.tif 000015
【図１４】
2006301864.tif 000016
【図１５】
2006301864.tif 000017
【図１６】
2006301864.tif 000018
【図１７】
2006301864.tif 000019
【図１８】
2006301864.tif 000020
【図１９】
2006301864.tif 000021
【図２０】
2006301864.tif 000022
【図２１】
2006301864.tif 000023
【図２２】
2006301864.tif 000024
【図２３】
2006301864.tif 000025
【図２４】
2006301864.tif 000026
【図２５】
2006301864.tif 000027
【図２６】
2006301864.tif 000028